(57)【要約】【課題】  ワイヤハーネスに取り付ける際の作業性が良く、ワイヤハーネスに対する固着力が強く、また、ロック機構部分に何か物が当たってロック解除となる恐れのないようにする。【解決手段】  ワイヤハーネスを収容可能な収容溝(10)を有する受け部(11)と、この受け部(11)に薄肉ヒンジ(12)を介して連接された押さえ板(13)と、この押さえ板(13)の先端に設けたロック爪(14)と、前記受け部(11)の薄肉ヒンジ(12)と反対側の部分の両側面に接続しその背面に中空部(16)を形成するように箱状に形成された両側壁(17)及び後壁(18)と、この両側壁(17)内面に部分的に連接され、その他の大部分が受け部(11)及び両側壁(17)から所定間隔をおいて箱状の壁の中空部(16)内に立設された板状部(19)と、この板状部(19)の上端部に形成されかつ両側壁(17)上端から突出しないように設けられ、前記ロック爪(14)が係合する爪係止部(15)とを備えている。【選択図】  図１
2005261131.tif 000002
【特許請求の範囲】
【請求項１】
ワイヤハーネスを収容可能な収容溝を有する受け部と、
この受け部に薄肉ヒンジを介して連接された押さえ板と、
この押さえ板の先端に設けたロック爪と、
前記受け部の薄肉ヒンジと反対側の部分の両側面に接続しその背面に中空部を形成するように箱状に形成された両側壁及び後壁と、
この両側壁内面に部分的に連接され、その他の大部分が受け部及び両側壁から所定間隔をおいて箱状の壁の中空部内に立設された板状部と、
この板状部の上端部に形成されかつ両側壁上端から突出しないように設けられ、前記ロック爪が係合する爪係止部とを備えたことを特徴とするワイヤハーネス用クリップ。
【請求項２】
前記板状部の下端側両側が両側壁に連接され、この連接部から上方の板状部がロック爪と爪係止部との係合寸前に背面側に撓み、係合後に元の位置に復帰するバネ性を有することを特徴とする請求項１に記載のワイヤハーネス用クリップ。
【請求項３】
請求項１記載のクリップと同様の受け部、押さえ板、ロック爪、側壁、板状部、爪係止部を備えたクリップを互いの受け部の収容溝が反対方向を向くように２ケ一対に連成したことを特徴とするワイヤハーネス用クリップ。
【請求項４】
前記押さえ板に、当該押さえ板の一部を切り欠いた個所に装着されて、収容溝に収容されたワイヤハーネスを先端部で弾性的に押し付ける板バネ片を設けたことを特徴とする請求項１ないし３のいずれか１項に記載のワイヤハーネス用クリップ。
【請求項５】
前記押さえ板の内面に、収容溝に収容されたワイヤハーネスに接触する凹面を持つ隆起部を形成したことを特徴とする請求項１ないし４のいずれか１項に記載のワイヤハーネス用クリップ。
【請求項６】
前記押さえ板の前記ロック爪と反対面に、ロック解除操作用の突起を形成したことを特徴とする請求項１ないし５のいずれか１項に記載のワイヤハーネス用クリップ。
【発明の詳細な説明】
【技術分野】
【０００１】
本発明は、自動車等に搭載されるワイヤハーネスを固定させるために使用されるクリップに関するものである。
【背景技術】
【０００２】
自動車等においてワイヤハーネスをパネルに固定するクリップとして、ワイヤハーネスを締付け固定するバンドに、パネル側の取付穴に係合するアンカーを一体成形したバンドクリップが一般的である。
また、薄肉ヒンジを介して一体連結された２つの部分でワイヤハーネスを挟み、前記２つの部分の先端にそれぞれ設けたロック爪と爪係止部とからなるロック機構でワイヤハーネスを固定する構造のクリップも種々提案されている（特許文献１，２参照）。
【０００３】
図９は特許文献１に記載のものであるが、このクリップ１は、ワイヤハーネスを把持するクリップ本体２が、薄肉ヒンジ３を介して一体連結された一対の半リング部４，５からなり、各半リング部４，５の薄肉ヒンジ３と反対側の先端部にロック爪６ａと爪係止部６ｂとからなるロック機構６を設けている。そして、ロック機構６と反対側にアンカー７を一体に設けた構造である。
【０００４】
上記クリップ１のように、薄肉ヒンジ３を介して連結された２つの部分４，５でワイヤハーネスを挟み、その２つの部分４，５にそれぞれ設けたロック爪６ａと爪係止部６ｂとからなるロック機構６でロックする構造を採用する場合、このクリップ１のように、アンカー７とロック機構６とは反対側に設けるのが一般的である。
【０００５】
図１０は特許文献２に記載のものであるが、このクリップ１´も同様に、クリップ本体２´が薄肉ヒンジ３´を介して連結された２つの部分すなわちベース板４´と押さえ板５´とからなり、このベース板４´と押さえ板５´とでワイヤハーネスＨを挟み、両者４´，５´にそれぞれ設けたロック爪６´ａと爪係止部６´ｂとからなるロック機構６´でロックする構造である。なお、このクリップ１´はロック機構６´を両側に、すなわち薄肉ヒンジ３´の反対側だけでなく同じ側にも設けている（ただし一方は補助ロック機構として）。
このクリップ１´の場合、アンカー７´とロック機構６´とが互いに反対側ではないが、ロック機構６´がアンカー７´の方向と直交する方向にあり、少なくとも同じ側ではない。
また、ロック爪と爪係止部とによるロック機構では一般に、このロック機構６´と同様に、ロック爪が内側に突出する形状、爪係止部が外側に突出する形状とするのが通常である。
図１０において、９はワイヤハーネスＨに直接当たるリブ、８はパネル、８ａはパネル８にあけた取付穴である。
【特許文献１】特開平１１−２６２１３９号公報（第３頁、図１）
【特許文献２】特開平８−６８４７９号公報（第３頁、図３）
【発明の開示】
【発明が解決しようとする課題】
【０００６】
上記従来の単なるバンドにアンカーを固定したバンドクリップは、構造が簡単でコストが安いが、ワイヤハーネスに対する固着力が弱く、ワイヤハーネスから外れたり回転したりする恐れがある。また、バンドで締め付ける作業は煩雑であり、作業性が悪い。
図９のクリップ１は、バンドクリップと比べてワイヤハーネスに取り付ける際の作業性は良いが、ワイヤハーネスに対する固着力が必ずしも十分強いとは言えない。また、ロック機構６がアンカー７と反対側にあり前方に突出しているので、ロック機構６の部分に何か物が当たってロック解除となることも有り得る。
図１０のクリップ１´は、同様にバンドクリップと比べてワイヤハーネスに取り付ける際の作業性は良くなる。
しかし、ワイヤハーネスに対する固着力もある程度強いと思われるが、爪係止部６´ｂをワイヤハーネス受け部（ベース板４´）に直接形成した構成では、ロック爪６´ａを十分深くするとロック解除時に外しにくくなるので、ロック爪６´ａの深さはそれほど深くはできず、固着力が必ずしも十分に強固とも言い難い。また、２箇所にロック機構６´がある構造は、煩雑でありコストが高くなる。
また、ロック機構６´の位置がパネル８の面に添う方向にあっても、やはりこの部分に何か物が当たってロック解除となることも有り得る。
【０００７】
本発明は上記従来の欠点を解消するためになされたもので、ワイヤハーネスに取り付ける際の作業性が良く、ワイヤハーネスに対する固着力が強く、また、ロック機構部分に何か物が当たってロック解除となる恐れのないクリップを提供することを目的とする。
【課題を解決するための手段】
【０００８】
上述の目的を達成するため、本発明は、ワイヤハーネスを収容可能な収容溝を有する受け部と、この受け部に薄肉ヒンジを介して連接された押さえ板と、この押さえ板の先端に設けたロック爪と、前記受け部の薄肉ヒンジと反対側の部分の両側面に接続しその背面に中空部を形成するように箱状に形成された両側壁及び後壁と、この両側壁内面に部分的に連接され、その他の大部分が受け部及び両側壁から所定間隔をおいて箱状の壁の中空部内に立設された板状部と、この板状部の上端部に形成されかつ両側壁上端から突出しないように設けられ、前記ロック爪が係合する爪係止部とを備えたものである。
【発明の効果】
【０００９】
本発明はワイヤハーネスを収容可能な収容溝を有する受け部と、この受け部に薄肉ヒンジを介して連接された押さえ板と、この押さえ板の先端に設けたロック爪と、前記受け部の薄肉ヒンジと反対側の部分の両側面に接続しその背面に中空部を形成するように箱状に形成された両側壁及び後壁と、この両側壁内面に部分的に連接され、その他の大部分が受け部及び両側壁から所定間隔をおいて箱状の壁の中空部内に立設された板状部と、この板状部の上端部に形成されかつ両側壁上端から突出しないように設けられ、前記ロック爪が係合する爪係止部とを備えているので、ワイヤハーネスを収容溝に挿入し、押さえ板を押し込むという簡単な操作でハーネスを固定でき、作業性が向上するものである。また、ロック爪と爪係止部とによるロック個所は、箱状の両側壁と後壁とで囲まれた中空部内に位置するので、爪係止部をロック解除方向へ移動させる外力が作用しにくくなり、すなわちこのロック個所は箱状の壁でガードされ、何か物に当たるという恐れもきわめて少なく、通常の使用状態でロックが解除されてしまうことはなくなる。
【発明を実施するための最良の形態】
【００１０】
以下に、本発明の好適な実施形態のいくつかについて図面を参照にして説明する。
【００１１】
図１に示す実施形態では、図示しないワイヤハーネスを収容可能な収容溝１０を有する受け部１１と、この受け部１１に薄肉ヒンジ１２を介して連接された押さえ板１３と、この押さえ板１３の先端に設けたロック爪１４と、前記受け部１１の薄肉ヒンジ１２と反対側にこのロック爪１４と係合する爪係止部１５とを有している。この爪係止部１５は、受け部１１の両側面に連接しその背面に中空部１６を形成するように箱状に形成された両側壁１７及び後壁１８の中空部１６内に立設された板状部１９の上端部に形成してある。後壁１８には、図示しないパネルにあけた取付穴に係合可能なアンカー２０を設けてある。前記押さえ板１３には、この押さえ板の一部を切り欠いた個所に装着され、前記収容溝１０に収容されたハーネスを先端部で弾性的に押し付ける板バネ片２１を設けてある。また、この押さえ板１３の内面にハーネスに接触する凹面２２Ａを持つ隆起部２２を形成してある。
【００１２】
図２ないし図４は、クリップ正面図とこの正面図のＡ−Ａ線、Ｂ−Ｂ線断面図をそれぞれ示し、ロック爪１４の反対面にロック解除操作用の突起２３を形成し、ロック爪１４が爪係止部１５に係合した状態で、この突起２３を持ち上げることで係合を解除できるようになっている。
【００１３】
また、図５は、板状部１９と爪係止部１５の部分的拡大斜視図を示し、板状部１９の下端側両側（図面上一側のみ示す）を両側壁１７に連接し（図面上連接個所近傍を断面とし、符合ａで示す）、この連接部ａから上方の板状部１９がロック爪１４と爪係止部１５との係合寸前に背面側（図中右側）に撓み、係合後に元の位置に復帰するバネ性を有している。
【００１４】
図１ないし図５に示す実施形態では、図示しないパネルの取付穴は、円形に形成され、円形に見合った形状のアンカー２０を設けてある。また、ロック爪１４は、外向き突起状をなし、爪係止部１５は、内向き突起状をなし、このような外向き、内向きの突起とすることにより、ロック個所に何か物がぶつかってロック解除されてしまうという恐れは少なくなる。さらに、隆起部２２の凹面２２Ａを、ざらざらした粗面、例えば表面に凹凸を施した粗面にして摩擦を大きく、さらに収容溝１０の表面に複数の溝を形成しておくことにより、ワイヤハーネスの固定を強固なものとすることができる。
【００１５】
図６に示す実施形態は、アンカー２０の形状をパネルにあけた長孔の取付穴に合わせて変えた例を示し、このアンカー２０は、取付穴の形状や数に合わせて変えることができる。また、アンカー２０と後壁１８とを一体成形したものを示しているが、このアンカー２０を後壁１８とは別体に成形し、後壁１８にアンカー２０を後付けしても良い。
【００１６】
図７に示す実施形態は、側面図で見たとき、中央の中心を基点として１８０°回転させたとき同じ形状となる点対称であり、両側に図１に示すクリップを２ケ一対一体的に連成したものを示す。前記箱状の壁のうち後壁１８を共通にし、受け部１１や押さえ板１３及び爪係止部１５等と同様のものを逆さに位置するように、すなわち互いの受け部１１，１１´の収容溝１０，１０´が反対方向を向くように受け部１１´、押さえ板１３´、ロック爪１４´、側壁１７´、板状部１９´、爪係止部１５´を備えたもう１つのクリップを連成してある。いわば、Ｓ字タイプのクリップとでもいうべきものである。
【００１７】
図８は、基本的には図７の中央縦断面であるが、共通する後壁１８を除いて、中空部１６内に２枚の板状部１９，１９´が存在し、それぞれ反対方向に爪係止部１５，１５´を設けてあるものである。図面上、下半分に位置するクリップと、上半分に位置するクリップとは同一構成であり、下半分の各部材に対応する上半分の各部材には符号に「´」をつけて対応関係を示した。すなわち、収容溝１０，１０´、受け部１１，１１´、薄肉ヒンジ１２，１２´、押さえ板１３，１３´、ロック爪１４，１４´、爪係止部１５，１５´、中空部１６，１６´、側壁１７，１７´、後壁１８，１８´、板状部１９，１９´、板バネ片２１，２１´、隆起部２２，２２´、突起２３，２３´とした。
【図面の簡単な説明】
【００１８】
【図１】好適な実施形態を示す斜視図。
【図２】正面図。
【図３】図２のＡ−Ａ線断面図。
【図４】図２のＢ−Ｂ線断面図。
【図５】板状部の部分的拡大斜視図。
【図６】アンカー形状を変えた例を示す斜視図。
【図７】他の実施形態を示す斜視図。
【図８】図７の断面であり後壁を除いた例を示す図。
【図９】従来例を示す断面図。
【図１０】他の従来例を示す断面図。
【符号の説明】
【００１９】
１０  収容溝
１１  受け部
１２  薄肉ヒンジ
１３  押さえ板
１４  ロック爪
１５  爪係止部
１６  中空部
１７  側壁
１８  後壁
【図１】
2005261131.tif 000003
【図２】
2005261131.tif 000004
【図３】
2005261131.tif 000005
【図４】
2005261131.tif 000006
【図５】
2005261131.tif 000007
【図６】
2005261131.tif 000008
【図７】
2005261131.tif 000009
【図８】
2005261131.tif 000010
【図９】
2005261131.tif 000011
【図１０】
2005261131.tif 000012